(57)【要約】      （修正有）【課題】精密に、かつ、ウェブに欠陥や引裂きをもたらすことなく、ウェブの領域に少なくとも１つの孔を作ることが可能なウェブの穿孔装置を提供する。【解決手段】複数の開口部を有する少なくとも１つの第１の変形部材と、複数の突出要素を有する少なくとも１つの第２の変形部材とを備え、第１の変形部材および第２の変形部材が、少なくともトラッキング位置に置かれるように構成され、第１の変形部材および第２の変形部材が、前進経路の反対側に置かれ、連結位置に置かれるように構成され、複数の突出要素が、使用時に、ウェブの一領域に複数の孔を作成するべく、前進経路に直交するように複数の開口部と連結され、第１の変形部材および第２の変形部材が第１の変形部材とウェブとの間に、かつ第２の変形部材とウェブとの間に、少なくとも前進経路に沿って、実質的にゼロの相対速度で複数の孔を作成するべく、トラッキング位置および連結位置では、前進速度で、前進経路に平行な部分に沿って前進するように構成される。【選択図】図１
0003225510.tif 000002
【実用新案登録請求の範囲】
【請求項１】
前進速度で前進経路に沿って前進する少なくとも１つのウェブの穿孔装置であって、
複数の開口部を有する少なくとも１つの第１の変形部材と、複数の突出要素を有する少なくとも１つの第２の変形部材とを備え、
前記第１の変形部材および前記第２の変形部材が、少なくともトラッキング位置に置かれるように構成され、前記第１の変形部材および前記第２の変形部材が、前記前進経路の反対側に置かれ、互いに向き合い、かつ、連結位置に置かれるように構成され、前記複数の突出要素が、使用時に、前記ウェブの一領域に複数の孔を作成するべく、前記前進経路に直交するように前記複数の開口部と連結され、
前記第１の変形部材および前記第２の変形部材が、前記第１の変形部材と前記ウェブとの間に、かつ前記第２の変形部材と前記ウェブとの間に、少なくとも前記前進経路に沿って、実質的にゼロの相対速度で複数の孔を作成するべく、前記トラッキング位置および前記連結位置では、前記前進速度で、前記前進経路に平行な部分に沿って前進するように構成される、穿孔装置。
【請求項２】
前記第１の変形部材が、前記複数の開口部が存在する第１のプレートを含み、
前記第２の変形部材が、前記複数の突出要素が存在する第２のプレートを含む、
請求項１に記載の穿孔装置。
【請求項３】
前記連結位置で前記第１の変形部材と、前記第２の変形部材の間に介在する分離手段であって、使用時に、穿孔された前記ウェブが前記複数の突出要素から解放されるように、前記複数の突出要素から前記ウェブを分離するように構成される分離手段を備える
請求項１または２に記載の穿孔装置。
【請求項４】
前記分離手段が、少なくとも１つの貫通開口部を有する少なくとも１つの分離要素を含み、前記連結位置で前記複数の突出要素が挿入される
請求項３に記載の穿孔装置。
【請求項５】
前記複数の突出要素を加熱するように構成される加熱デバイスを備える、
請求項１から４のいずれか一項に記載の穿孔装置。
【請求項６】
前記前進経路に対して平行な２つの方向に沿って置かれ、使用時に前記複数の孔が作られる前記ウェブの前記一領域に対して側方に配置される保持手段を備え、
前記保持手段が、前記第１の変形部材もしくは前記第２の変形部材または前記分離手段と接触するように前記ウェブを保持するために、使用時に前記ウェブと接触するように位置に置かれるように構成される、
請求項３または４に記載の穿孔装置。
【請求項７】
複数の前記第１の変形部材と、複数の前記第２の変形部材とを備え、
前記第１の変形部材のそれぞれおよび前記第２の変形部材のそれぞれが、他から独立して動くように構成される、
請求項１から６のいずれか一項に記載の穿孔装置。
【請求項８】
前記トラッキング位置で前記第２の変形部材に方向づけられた前記第１の変形部材の表面の少なくとも一部は、シリコン材料を含む被覆材で被覆される、
請求項１から７のいずれか一項に記載の穿孔装置。
【請求項９】
前記第１の変形部材および前記第２の変形部材が互いに少なくとも部分的に重なるように、前記第１の変形部材および／または前記第２の変形部材が、前記前進経路と交差する方向に沿って置かれるように構成される、
請求項１から８のいずれか一項に記載の穿孔装置。
【請求項１０】
衛生的な吸収性の物品を作製するための機械であって、請求項１〜９のいずれか一項に記載の穿孔装置を少なくとも１つ備える機械。
【考案の詳細な説明】
【技術分野】
【０００１】
本考案の実施形態は、おむつ、パンツ型おむつ、尿漏れパッド、生理パッド、または体液を吸収するための他の物品などの衛生的な吸収性の物品を作製するための機械内で使用できるウェブ（ｗｅｂ）の穿孔装置に関する。
【０００２】
詳細には、本考案の実施形態は、衛生的な吸収性の物品を作るためのウェブに複数の孔を作ることが可能なウェブの穿孔装置に関する
【０００３】
また、本考案は、１つまたは複数の穿孔装置を備える、衛生的な吸収性の物品を作製するための機械に関する。
【背景技術】
【０００４】
衛生的な吸収性の物品の作製では、衛生的な吸収性の物品に特定の特性を与える複数の孔が作られた１つまたは複数の領域を有するウェブを使用することが知られている。例えば、穿孔されたウェブは、所望の条件に関連して、通気性、多様な弾性、または他の特性を与えることが可能である。
【０００５】
衛生的な吸収性の物品を取得するために、既に穿孔されたウェブが購入されることが知られている。
【０００６】
こうした既知の解決策は、コスト高を伴い、機械への装填および供給に長い時間を要し、大きな倉庫スペースおよび多数の人員が必要になる。
【０００７】
既に穿孔されたウェブの使用は、物品において、それぞれ異なる特性を有する異なる部分を得るためには、異なる構成の複数の孔を有する複数のウェブを使用することが必要であるという更なる短所を有する。
【０００８】
このことは、作製の融通性についての制限を含み、作ることが可能な物品の種類を著しく限定する。例えば、それは、様々な種類の複数の孔を有する物品または物品群を作ることが不可能であることに反映される。
【０００９】
ウェブ固有の経時的劣化に起因して、衛生的な吸収性の物品の作製に適さなくなる程度にまで、ウェブの特性が変化し得る。これは大きな経済的損失を伴い、この損失は、使用することができなくなったウェブを廃棄しなければならないことの負担により一層大きくなる。
【００１０】
他の既知の解決策では、列をなすように設置された複数の穿孔装置の使用が実現されるが、これは、場所を取るだけでなく、ウェブを停止させること、または、その動きを著しく低速化させることが必要になる。
【００１１】
これは、衛生的な吸収性の物品の作製の著しい全体的低速化を伴い、産業部門の技術的要件および商業的要件に起因して許容できるものではない。
【００１２】
既知の解決策には、互いに合わさる適切な突起を有する回転ローラが使用されるものもあり、これらの回転ローラ間をウェブが前進させられる。例えば、この種類の既知の解決策が、ＵＳ−Ａ−２０１２／２７６２３９（ＵＳ'２３９）で記載されている。
【００１３】
ウェブが前進する際、２つのローラの互いに合わさる突起がウェブにかみ合い、共同してウェブに複数の孔を作る。
【００１４】
産業界の専門家による豊富な努力にも関わらず、こうした既知の解決策では、精密で、欠陥のない複数の孔の取得が可能にはならない。
【００１５】
ローラの回転に起因して、互いに合わさる突起によるウェブのかみ合いおよび分離が、ウェブの前進方向に実質的に接する湾曲経路に沿って起こり、この湾曲経路は、一般に、ウェブの前進速度の局所的変動を伴い、これにより、引伸ばしがもたらされる。
【００１６】
具体的には、ローラの周速度がウェブの前進速度と等しい場合、前進方向に実質的に接する湾曲経路に沿ったウェブに対する、互いに合わさる突起のかみ合いおよび分離に起因して、得られる複数の孔の多くは、楕円形状を有することが知られている。
【００１７】
文献ＵＳ'２３９は、穿孔要素を有するプレートの使用が可能性であることについても言及しているが、使用方法や、そうしたプレートがウェブに関連してどのように動くように構成されるかについては明示していない。
【００１８】
こうした既知の解決策では、ウェブの特定の領域での、精密で、制御された複数の孔の作製が可能にならず、それらの孔は、しばしば、不均一、不完全であり、いくつもの欠陥を伴うものになる。
【００１９】
例えば、ウェブの複数の孔は、望まれない楕円形状を有し得て、かつ／または、引き裂かれた部分および／もしくは引き伸ばされた部分を有し得て、あるいは最悪の場合、ウェブが、偶発的に穿孔装置内で引っ掛かって残ってしまうことさえあり得る。  
【００２０】
したがって、先行技術の短所のうちの少なくとも１つを解消する穿孔装置、およびそうしたウェブの穿孔装置を備えた、衛生的な吸収性の物品を作製するための機械を改良し、利用可能にすることが必要である。
【００２１】
本考案の目的の１つは、精密で欠陥のない、列状の複数の孔をウェブに作ることが可能な穿孔装置を供給して、高い生産率を伴う設計上の期待に対応した衛生的な吸収性の物品を取得することである。
【００２２】
本考案の目的の１つは、ウェブの前進を妨げることなく、すなわち、ウェブの速度の局所的変動をなくし、この結果、楕円形状にならないように複数の孔を作ることが可能な穿孔装置を供給することである。
【００２３】
また、本考案の目的の１つは、ウェブが前進経路に沿って前進する際に、ウェブの複数の孔を高速に取得することを可能にする穿孔装置を供給することである。
【００２４】
本考案の更なる目的は、コンパクトな寸法の穿孔装置であって、ウェブが前進する際に、ウェブに複数の孔を作ることを可能にし、同時に、ウェブが装置内で偶発的に引っ掛かってしまう可能性が低減することを保証する穿孔装置を供給することである。
【００２５】
本考案の更なる目的は、衛生的な吸収性の物品を作製するための機械であって、精密かつ制御された方法で、ウェブの1つまたは複数の所望の領域内に変形をもたらすことを可能にする少なくとも１つの穿孔装置を備える機械を提供することである。 
【００２６】
先行技術の短所を解消し、上記のまた更なる目的および長所を得るために、本願の出願人は、本考案を考え出し、試験し、作り出した。
【考案の概要】
【００２７】
本考案は、独立請求項中で言い表され、特徴付けられており、従属請求項は、本考案の他の特性または主な解決思想の別形を説明している。
【００２８】
上記の目的によれば、本考案は、前進速度で前進経路に沿って前進する少なくとも１つのウェブの穿孔装置に関する。
【００２９】
穿孔装置は、複数の開口部を有する少なくとも１つの第１の変形部材と、複数の突出要素を有する少なくとも１つの第２の変形部材を備える。
【００３０】
本考案の一態様では、第１の変形部材および第２の変形部材は、少なくともトラッキング位置に置かれるように構成され、第１の変形部材および第２の変形部材は、前進経路の反対側に置かれ、かつ、互いに向き合う。
【００３１】
本考案の一態様では、第１の変形部材および第２の変形部材は、連結位置に置かれるように構成され、突出要素が、使用時に、ウェブの一領域に複数の孔を作成するべく、前進経路に対して直交して開口部と連結される。
【００３２】
連結位置では、使用時に、ウェブが第１の変形部材と第２の変形部材の間で締め付けられ、これにより、突出要素がウェブに穿孔する。
【００３３】
本考案によれば、第１の変形部材および第２の変形部材は、第１の変形部材とウェブとの間に、かつ第２の変形部材とウェブとの間に、少なくとも前進経路に沿って、実質的にゼロの相対速度で複数の孔を作成するべく、トラッキング位置および連結位置では、前進経路に平行な部分に沿って、前進速度で前進するように構成される。
【００３４】
本考案は、精密で制御された方法で、ウェブに複数の孔を作ることを可能にし、得られる複数の孔が望まれない形状を有することがなく、同時に、ウェブが引き裂かれず、ウェブ前進速度で、低速化または詰まりがなく前進することが保証される。
【００３５】
本考案は、精密で円形の複数の孔の取得を可能としないローラの対を使用する既知の解決策に対して課題を解消する。穿孔要素を有するプレートを使用する既知の解決策が存在するが、それらは、ウェブに対する穿孔要素のかみ合い領域と少なくとも一致して、ウェブの前進を瞬時に低速化することなく、円形の複数の孔を作ることができない。
【００３６】
穿孔要素を有するプレートを使用する既知の解決策では、動いているウェブが、停止状態から始動する要素とかみ合わせられ、したがって、かみ合う瞬間には、ウェブが局所的に低速化され、これにより、ウェブの複数の孔が伸長される。
【００３７】
本考案により、既に穿孔されたウェブを使用することなく、ウェブ上で列をなし、所望の形状を有する穿孔領域を高速に取得することが可能になる。
【００３８】
本解決策により、既に穿孔されたウェブを使用することなく、所望の領域に複数の所望の孔を作ることが可能になり、これにより、かなりの無駄を通常は伴い得る、既に穿孔されたウェブの成形を行わなければならないことが回避される。
【００３９】
実行可能な実施形態では、第１の変形部材が、開口部が存在する第１のプレートを含む。
【００４０】
実行可能な実施形態によれば、第２の変形部材が、突出要素が存在する第２のプレートを含む。
【００４１】
実行可能な実施形態によれば、穿孔装置が、連結位置で第１の変形部材と第２の変形部材の間に介在する分離手段であって、使用中に、穿孔されたウェブが突出要素から解放されるように、ウェブを突出要素から分離するように構成される分離手段を備える。
【００４２】
実行可能な実施形態では、分離手段が、少なくとも１つの貫通開口部を有する少なくとも１つの分離要素を含み、連結位置で突出要素が挿入される。
【００４３】
実行可能な実施形態によれば、分離手段が、複数の貫通開口部を含み得る。
【００４４】
実行可能な実施形態によれば、穿孔装置が、突出要素を加熱するように構成される加熱デバイスを備える。
【００４５】
実行可能な実施形態では、穿孔装置が、前進経路に対して平行な２つの方向に沿って置かれ、使用時に複数の孔が作られるウェブの領域に対して側方に配置される保持手段を備える。
【００４６】
実行可能な実施形態によれば、保持手段が、第１の変形部材または第２の変形部材に接触するようにウェブを保持するために、使用時にウェブに接触する位置に置かれるように構成される。
【００４７】
実行可能な実施形態によれば、穿孔装置が、複数の第１の変形部材と複数の第２の変形部材を備えてよく、第１の変形部材のそれぞれおよび第２の変形部材のそれぞれは、他から独立して動くように構成される。
【００４８】
実行可能な実施形態によれば、トラッキング位置で第２の変形部材に方向付けられた第１の変形部材の表面の一部が、被覆材で被覆される。
【００４９】
実行可能な実施形態では、被覆材が、シリコン材料を含み得る。
【００５０】
実行可能な実施形態によれば、第１の変形部材および第２の変形部材が、互いに少なくとも部分的に重なるように、第１の変形部材および／または第２の変形部材が、前進経路に交差する方向に沿って置かれるように構成される。例えば、ウェブが前進経路に沿って前進する間、第１の変形部材および第２の変形部材は、互いに完全に重なり、ウェブの前進経路に交差する方向に沿って交互に配置され得る。
【００５１】
実行可能な実施形態によれば、第１の変形部材および第２の変形部材が、互いに部分的に重なるように、第１の変形部材および／または第２の変形部材が、前進経路に交差する方向に沿って置かれるように構成される。例えば、ウェブが前進経路に沿って前進する間、第１の変形部材および第２の変形部材は、互いに部分的に重なってよい。
【００５２】
実行可能な実施形態によれば、本考案は、上記の実行可能な実施形態のいずれかによる穿孔装置を少なくとも１つ備える、衛生的な吸収性の物品を作製するための機械に関する。
【００５３】
本考案の上記および他の特性が、添付の図面に関連して例としてのみ示す、非限定的な実施形態の以下での説明から明らかになるであろう。
【図面の簡単な説明】
【００５４】
【図１】本考案の実行可能な一実施形態による穿孔装置を模式的に示す図である。
【００５５】
【図２】ウェブのうち、先行技術の穿孔装置を用いて作られた複数の孔が存在する部分を模式的に示す図である。
【００５６】
【図３】ウェブのうち、本考案の実行可能な一実施形態による穿孔装置を用いて作られた複数の孔が存在する部分を模式的に示す図である。
【００５７】
【図４】本考案の実行可能な一実施形態による一動作段階での穿孔装置を模式的に示す図である。
【図５】本考案の実行可能な一実施形態による一動作段階での穿孔装置を模式的に示す図である。
【図６】本考案の実行可能な一実施形態による一動作段階での穿孔装置を模式的に示す図である。
【図７】本考案の実行可能な一実施形態による一動作段階での穿孔装置を模式的に示す図である。
【００５８】
【図８】本考案の実行可能な一実施形態による穿孔装置の一部分を分解形式で模式的に示す図である。
【００５９】
【図９】本考案の実行可能な一実施形態による穿孔装置の一部分の断面を模式的に示す図である。
【００６０】
【図１０（ａ）】本考案による穿孔装置の実行可能な一実施形態の断面を模式的に示す図である。
【００６１】
【図１０（ｂ）】図１０（ａ）の詳細を模式的に示す図であって、１対の変形部材がトラッキング位置にあり、１対の変形部材が連結位置にある様の図である。
【００６２】
理解を容易にするために、可能であれば、同一の参照番号を使用して、図面間で共通する同一の要素を特定している。１つの実施形態の要素および特性が、更なる説明が行われることなく、他の実施形態に適宜組み入れら得ることも理解されたい。
【考案を実施するための形態】
【００６３】
図面に関連して本明細書中で記載される実施形態は、少なくとも１つのウェブ１１の１つまたは複数の領域に複数の孔１３を作成するべく、前進速度で前進経路Ｐに沿って前進する少なくとも１つのウェブ１１の穿孔装置１０に関する。
【００６４】
実行可能な実施形態によれば、前進経路Ｐは、直線部分を含み得る。実行可能な実施形態によれば、前進経路Ｐは、湾曲部分を含み得る。実行可能な実施形態によれば、前進経路Ｐは、幾何学的水平面に対して傾斜した部分を含み得る。
【００６５】
説明の過程で明らかになるように、本考案は、精密かつ制御された方法でウェブ１１に複数の孔１３を作ることを可能にし、すなわち、設計上の期待に従って、欠陥なく複数の孔が作られる。
【００６６】
例えば、図２を参照すると、ウェブ１１が、先行技術に従って作られた複数の孔であって、ウェブ１１の引裂きや、引伸ばしなどの多くの欠陥を持つ複数の孔を有している。このウェブ１１のいくつかの孔は、不均一であり、かつ／または、伸長された形状等を有する。
【００６７】
図３を参照すると、ウェブ１１が、本考案の実行可能な一実施形態により作られた複数の孔１３を有しており、伸長された形状など、図２に示すウェブ１１の欠陥のうちのいずれも存在しない。
【００６８】
実行可能な実施形態によれば、ウェブ１１は、１つまたは複数の層を含んでよく、必要であれば、弾性材料をも含んでよい。例えば、弾性部材は、弾性糸、弾性膜、または弾性バンドなどを含んでよい。
【００６９】
実行可能な実施形態によれば、穿孔装置１０が、複数の開口部２０を有する少なくとも１つの第１の変形部材１７を備える。
【００７０】
実行可能な実施形態では、穿孔装置１０が、突出要素１９を有する少なくとも１つの第２の変形部材１８を備える。
【００７１】
開口部２０および突出要素１９は、互いに合わさって、使用時に、協働してウェブ１１と連結され、複数の孔１３を作る。
【００７２】
開口部２０は、貫通開口部を含んでよく、または、各突出要素１９が開口部２０の底部に当たることなく、開口部２０に入ることを可能にするような深さを有する溝を含んでよい。
【００７３】
実行可能な実施形態によれば、第１の変形部材１７および第２の変形部材１８は、少なくともトラッキング位置に置かれるように構成され、第１の変形部材１７および第２の変形部材１８は、前進経路Ｐの反対側に置かれ、かつ、互いに向き合う。たとえば、トラッキング位置では、使用時に、ウェブ１１が前進経路Ｐに沿って前進する間、第１の変形部材１７および第２の変形部材１８は、それぞれウェブ１１の一方の面の方を向く。
【００７４】
実行可能な実施形態では、第１の変形部材１７および第２の変形部材１８は、連結位置に置かれるように構成され、突出要素１９が、使用時に、ウェブ１１の一領域に複数の孔１３を作成するべく、前進経路Ｐに対して直交して開口部２０と連結される。
【００７５】
前進経路Ｐに対して直交する方向での連結と組み合わせた、ウェブ１１とのかみ合いが起こる前、およびその最中の第１の変形部材１７および第２の変形部材１８の移動は、ウェブ１１が局所的に低速化および変形されることなく前進する間に、複数の精密な円形孔１３を得るために有利で相乗的である。
【００７６】
連結位置では、突出要素１９が、第１の変形部材１７の方を向き、関連する開口部２０に挿入される。
【００７７】
実行可能な実施形態では、第１の変形部材１７および／または第２の変形部材１８が、使用時にウェブ１１が所定位置で保持されるように、ウェブ１１を吸引するための吸引システムを有してよい。
【００７８】
実行可能な実施形態によれば、吸引システムは、前進経路Ｐの方を向いた第１の変形部材１７の面および／または第２の変形部材１８の面の上に配置された複数の吸引孔を含んでよく、これらの吸引孔は、使用時にウェブ１１を吸引し、前進経路Ｐの方を向いた所望の上記面にウェブ１１を所定位置で保持するように構成される吸引源に流体接続される。
【００７９】
例えば、吸引孔は、第１の変形部材１７の表面上で、開口部２０間の利用可能なスペース内、または開口部２０の内側に配置されてよい。
【００８０】
実行可能な実施形態によれば、穿孔装置１０は、前進経路Ｐに平行な部分に少なくとも沿って、第１の変形部材１７を動かすように構成される第１の移動ユニット２１を備える。
【００８１】
実行可能な実施形態では、穿孔装置１０は、前進経路Ｐに平行な部分に少なくとも沿って、第２の変形部材１８を動かすように構成される第２の移動ユニット２２を備える。
【００８２】
実行可能な実施形態によれば、第１の移動ユニット２１および第２の移動ユニット２２は、２つの独立したモータ部材により駆動されるように構成される。
【００８３】
例えば、第１の移動ユニット２１および第２の移動ユニット２２は、それぞれ、１対のプーリと、それらプーリに連結される可動式トラックとを有するトラックシステムを含んでよく、これらトラックシステム上で、第１の変形部材１７および第２の変形部材１８が、それぞれ接続される。
【００８４】
実行可能な実施形態によれば、第１の移動ユニット２１が、前進経路Ｐに平行な部分に沿って第１の変形部材１７が動かされる間でも、前進経路Ｐに直交して第１の変形部材１７を動かすように構成されてよい。
【００８５】
実行可能な実施形態によれば、第２の移動ユニット２２が、前進経路Ｐに平行な部分に沿って第２の変形部材１８が動かされる間でも、前進経路Ｐに直交して第２の変形部材１８を動かすように構成されてよい。
【００８６】
例えば、第１の変形部材１７および／または第２の変形部材１８による前進経路Ｐに直交した移動は、トラックシステム内に存在するカムにより得てよい。第１の変形部材１７および／または第２の変形部材１８が前進経路Ｐと平行な部分に沿って移動する間、このカムが、第１の変形部材１７および／または第２の変形部材１８を前進経路Ｐに直交する方向に沿ってウェブ１１に接触させる。
【００８７】
実行可能な実施形態によれば、第１の変形部材１７および／または第２の変形部材１８による前進経路に直交した移動は、プッシャ、ピストン、関節式システム、または、これらの組合せ等により得てよい。
【００８８】
実行可能な実施形態では、第２の移動ユニット２２が、前進経路Ｐと平行な部分に沿って第１の変形部材１７が動く間でも、前進経路Ｐに直交して第２の変形部材１８を動かすように構成されてよく、第１の移動ユニット２１が、前進経路Ｐと平行な少なくとも１部分を含む規定経路に沿ってのみ、第１の変形部材１７を動かすように構成されてよい。
【００８９】
この場合、前進経路Ｐに直交して第２の変形部材１８のみを動かすことで連結位置に達する。
【００９０】
前進経路Ｐが湾曲部分を含む場合、第１の変形部材１７および第２の変形部材１８が沿って動く平行部分が、前進経路Ｐの湾曲部分の形状を追従するように規定される。
【００９１】
例えば、平行部分に沿って、第１の変形部材１７は、第１の曲率半径をもって湾曲部分の形状に追従し、第２の変形部材１８は、第１の曲率半径とは異なる第２の曲率半径をもって湾曲部分の形状に追従する。
【００９２】
この場合、前進経路Ｐの湾曲部分と一致してかみ合い位置に達する場合、第１の変形部材１７および第２の変形部材１８は、各開口部２０および突出要素１９がウェブ１１の前進経路Ｐに直交するように方向づけられるように形作られる。
【００９３】
実行可能な実施形態によれば、第１の変形部材１７および第２の変形部材１８が、これら双方を協調して動かすように構成される共通の移動ユニットにより動かされてよい。
【００９４】
この移動ユニットは、これが変形部材１７および１８のそれぞれに関連していても、または両方に関連していても、ウェブ１１に変形部材１７および１８を少なくとも連結させるように、これら変形部材を動かして、ウェブ１１の所望の領域に複数の孔１３を作るように構成される。
【００９５】
例えば、第１の移動ユニット２１および第２の移動ユニット２２はそれぞれ、アクチュエータ、モータ、動き変換デバイス、または、これらの組合せ等を含んでよい。
【００９６】
本考案の一態様では、第１の変形部材１７および第２の変形部材１８は、第１の変形部材１７とウェブ１１との間に、かつ第２の変形部材１８とウェブ１１との間に、少なくとも前進経路Ｐに沿って、実質的にゼロの相対速度で複数の孔１３を作成するべく、トラッキング位置および連結位置では、前進経路Ｐに平行な部分に沿って、前進速度で前進するように構成される。
【００９７】
使用時には、トラッキング位置および連結位置での第１の変形部材１７および第２の変形部材１８は、ウェブ１１に対する実質的にゼロの相対速度で前進経路Ｐに沿って前進する。
【００９８】
つまり、前進経路Ｐの少なくとも一部分については、第１の変形部材１７および第２の変形部材１８は、ウェブ１１と同一の前進速度で前進する。
【００９９】
そうすることで、第１の変形部材１７および第２の変形部材１８をウェブ１１と一体の可動式の基準システム内に維持しながら、動いているウェブ１１に複数の孔１３を作ることが可能になる。
【０１００】
そうすることで、ウェブ１１を低速化させず、前進経路Ｐに沿ってウェブ１１と変形部材１７および１８とで同一の速度を維持して、伸長形状を有する複数の孔１３が得られることを回避することができる。
【０１０１】
本考案により、ウェブ１１を前進させ、直交するようにウェブ１１をかみ合わせ、第１の変形部材１７とウェブ１１の相対速度および第２の変形部材１８とウェブ１１の相対速度を、少なくとも前進経路Ｐに沿って実質的にゼロに維持することにより複数の孔１３を作ることが可能になることで、楕円形状ではない、実質的に円形の複数の孔１３を得ることができる。
【０１０２】
実行可能な実施形態によれば、第１の変形部材１７は、開口部２０が存在する第１のプレート２３を含み、第２の変形部材１８は、突出要素１９が存在する第２のプレート２４を含む。
【０１０３】
実行可能な実施形態では、プレート２３および２４は、適切な接続要素により、関連する移動ユニット２１および２２に接続されてよい。
【０１０４】
例えば、トラックシステムの場合、接続要素を、関連する変形部材１７および１８に接続し、トラックシステムのトラックに接続してよい。
【０１０５】
実行可能な実施形態によれば、穿孔装置１０が、連結位置で、第１の変形部材１７と第２の変形部材１８の間に介在する分離手段１４であって、ウェブ１１を突出要素１９から分離するように構成され、こうすることで、使用中に、穿孔されたウェブ１１が突出要素１９から解放される、分離手段１４を備える。
【０１０６】
そうした態様は、穿孔されたウェブ１１を突出要素１９から高速かつ容易に解放することが可能になるので有利である。実際には、穿孔されたウェブ１１は、例えば、対抗要素として機能する分離手段１４により所定位置で保持されてよく、または、穿孔されたウェブ１１は、そのウェブ１１から分離されるように、突出要素１９がウェブ１１から外に出る方向とは反対の方向に押されてよい。
【０１０７】
実行可能な実施形態では、分離手段１４が固定されてよい。
【０１０８】
実行可能な実施形態によれば、分離手段１４は、連結位置で第１の変形部材１７と第２の変形部材１８の間に分離手段１４が介在する動作位置を採用するように構成されてよい。
【０１０９】
実行可能な実施形態では、分離手段１４は、連結位置で第１の変形部材１７と第２の変形部材１８の間に分離手段１４が介在しない定位置を採用するように構成されてよい。
【０１１０】
実行可能な実施形態によれば、分離手段１４は、少なくとも動作位置と定位置の間で動くことが可能でよい。
【０１１１】
実行可能な実施形態では、分離手段１４が、少なくとも１つの貫通開口部１５を有する分離要素１６を含んでよく、連結位置で突出要素１９が挿入される。
【０１１２】
実行可能な実施形態によれば、分離要素１６が、穿孔されたウェブ１１に対する機械的対抗要素として機能し、突出要素１９が容易にウェブ１１から分離することを可能にするプレートを含んでよい。
【０１１３】
実行可能な実施形態では、分離手段１４が、突出要素１９の分離の方向とは反対方向に流体を放出するように構成されるノズルを含んでよい。
【０１１４】
突出要素１９の分離の方向とは、連結位置での配置について、ウェブ１１とかみ合う方向とは反対の方向である。
【０１１５】
実行可能な実施形態によれば、分離要素１６が、その要素自体の１つまたは複数の領域に配置された複数の貫通開口部１５を含んでよい。
【０１１６】
実行可能な実施形態によれば、分離要素１６が、前進経路Ｐにより規定される方向に動き、ウェブ１１を運ぶことによりウェブ１１を前進させるように構成されてもよく、または、前進手段による前進経路Ｐに沿ったウェブ１１の前進中に、サポート体として機能してもよい。
【０１１７】
前進手段は、従動ローラおよび／もしくはアイドルローラ、または、前進経路Ｐに沿ってウェブ１１を前進させるのに適した他の要素を含んでよい。
【０１１８】
例えば、分離要素１６は、ドラムであって、前進経路Ｐの湾曲部分を、自体の外縁の少なくとも一部分に沿って規定するドラムを含んでよい。
【０１１９】
実行可能な実施形態によれば、ドラムは、適切な作動手段により、回転軸の周りを回転するように構成されてよい。
【０１２０】
例えば、ドラムは、アクチュエータ、モータ、または動き変換デバイス等に接続されてよい。
【０１２１】
実行可能な実施形態では、第１の変形部材１７および第２の変形部材１８は、貫通開口部１５と一致して、ウェブ１１に共同して連結して、ウェブ１１の領域に複数の孔１３を作るように構成される。
【０１２２】
実行可能な実施形態によれば、穿孔装置１０が、突出要素１９を加熱するように構成される加熱デバイス２５を備える。
【０１２３】
実行可能な実施形態では、加熱デバイスが、少なくとも一部分が突出要素１９に方向づけられた加熱面を有し、突出要素１９を加熱するように構成される加熱要素を含んでよい。
【０１２４】
例えば、加熱要素は、放射加熱ランプ、温風放出器、電磁誘導加熱デバイス、これらの組合せ、または、これらに類似する、もしくはこれらと同等の他の加熱要素であってよい。
【０１２５】
実行可能な実施形態によれば、複数の孔１３を作るために、突出要素１９および／または開口部２０を加熱することができる。
【０１２６】
例えば、突出要素１９および／または開口部２０を、第１の変形部材１７および／または第２の変形部材１８に統合された加熱デバイス２５により加熱してよい。
【０１２７】
実行可能な実施形態によれば、加熱デバイス２５は、突出要素１９および／または開口部２０の温度を所望の温度にするように構成されてよい。
【０１２８】
例えば、その温度は、ウェブ１１を構成する成分のうちの少なくとも１つの成分の溶解閾値より高くてよい。
【０１２９】
実行可能な実施形態によれば、使用時に、ウェブ１１が少なくとも１つの第１の変形部材１７と１つの第２の変形部材１８の間を前進経路Ｐに沿って前進する送込み（ｉｎｆｅｅｄ）領域と一致して、加熱デバイス２５を置いてよい。
【０１３０】
その加熱デバイス２５は、ウェブ１１を加熱して、第１の変形部材１７および第２の変形部材１８により複数の孔１３を作ることを容易するように構成される。
【０１３１】
実行可能な実施形態によれば、穿孔装置１０が、突出要素１９の温度を測定するように構成される測定デバイス２６を備えてよい。
【０１３２】
実行可能な実施形態によれば、穿孔装置１０が、ウェブ１１の温度を測定するように構成される測定デバイス２６を備えてよい。
【０１３３】
例えば、測定デバイス２６は、サーマルカメラ、パイロメータ、または他の種類の温度センサを含んでよい。
【０１３４】
実行可能な実施形態では、穿孔装置１０が、前進経路Ｐに対して平行な２つの方向に沿って置かれ、使用時に複数の孔１３が作られるウェブ１１の領域に対して側方に配置される保持手段２７を備え得る。
【０１３５】
実行可能な実施形態によれば、保持手段２７が、第１の変形部材１７もしくは第２の変形部材１８または分離手段１４に接触するようにウェブ１１を保持するために、ウェブ１１に接触する位置に置かれるように構成される。 
【０１３６】
そうした態様により、ウェブ１１を広げた状態で維持して、端部を動かないようにすることが可能になり、または、例えば、弾性のウェブ１１の場合には、中心に向かってウェブ１１が収縮しなくなる。
【０１３７】
実行可能な実施形態では、穿孔装置１０が、複数の第１の変形部材１７と複数の第２の変形部材１８を備えてよく、第１の変形部材１７のそれぞれおよび第２の変形部材１８のそれぞれは、他から独立して動くように構成される。
【０１３８】
そうした態様により、高レベルの作製の融通性が実現され、これにより、複数のそれぞれ異なる様々な孔１３を、ウェブ１１が前進する際に、ウェブ１１の予め定められた１つまたは複数の領域に作ることが可能になる。
【０１３９】
作られる複数の孔１３の種類と、複数の孔１３が作られるウェブ１１の領域に応じて、１つまたは複数の変形部材１７および１８を協調して動作することが可能であり、これにより、ウェブ１１の所望の領域に複数の所望の孔１３を有するウェブ１１が得られる。
【０１４０】
例えば、ウェブ１１に断続的な複数の孔１３を作って、複数の孔１３を有する領域と、孔１３を有さない領域を交互にすることが可能である。
【０１４１】
実行可能な実施形態によれば、トラッキング位置で第２の変形部材１８に方向づけられた第１の変形部材１７の表面の少なくとも一部が、シリコン材料を含む被覆材で被覆される。
【０１４２】
実行可能な実施形態では、第１の変形部材１７および第２の変形部材１８が、互いに部分的に重なるように、第１の変形部材１７および／または第２の変形部材１８が、前進経路Ｐに交差する方向に沿って置かれるように構成される。
【０１４３】
実行可能な実施形態では、第１の変形部材１７および第２の変形部材１８が、互いに少なくとも部分的に重なるように、第１の変形部材１７および／または第２の変形部材１８が、前進経路Ｐに交差する方向に沿って置かれるように構成される。
【０１４４】
実行可能な実施形態によれば、第１の変形部材１７が、少なくとも第１の待機位置と第２の動作位置の間で、前進経路Ｐに交差する方向に沿って動くように構成されてよく、第１の待機位置では、第１の変形部材１７が、使用時にウェブ１１が前進する領域側に置かれ、第２の動作位置では、第１の変形部材１７が、使用時にウェブ１１が前進する領域に少なくとも部分的に重なる。
【０１４５】
第１の待機位置と第２の動作位置の間での第１の変形部材１７の移動は、第１の移動ユニット２１により得られてよい。
【０１４６】
そうした態様により、コンパクトな寸法が可能になり、第１の変形部材１７が、ウェブ１１のうち複数の孔１３が作られるべき領域に関連して所望の位置に配置されることが可能になる。 
【０１４７】
第１の変形部材１７が第１の待機位置に置かれることにより、通常は使用されず、かつ、第１の変形部材１７の妨げとなりうる他の構成部品が存在しないスペースの使用が可能になる。
【０１４８】
実行可能な実施形態によれば、第２の変形部材１８は、少なくとも待機位置および動作位置に置かれるように構成されてよく、待機位置では、第２の変形部材１８は、運ばれるウェブ１１を妨げず、動作位置では、第２の変形部材１８は、ウェブ１１に連結される。
【０１４９】
実行可能な実施形態によれば、本考案は、少なくとも１つのウェブ１１を穿孔するためのプロセスにも関連し、このプロセスは、前進速度で、前進経路Ｐに沿って上記ウェブ１１を前進させる段階と、複数の開口部２０を有する少なくとも１つの第１の変形部材１７および複数の突出要素１９を有する少なくも１つの第２の変形部材１８をトラッキング位置に配置する段階であって、上記第１の変形部材１７および上記第２の変形部材１８が、上記前進経路Ｐの反対側に置かれ、互いに向き合い、かつ、上記ウェブ１１の２つ面の反対側をそれぞれ向いている、段階と、上記第１の変形部材１７と上記ウェブ１１との間で、かつ上記第２の変形部材１８と上記ウェブ１１との間で、少なくとも上記前進経路Ｐに沿って、相対速度が実質的にゼロになるように、上記第１の変形部材１７および上記第２の変形部材１８を、上記前進経路Ｐと平行な部分に沿って、上記前進速度で前進させる段階と、上記第１の変形部材１７および上記第２の変形部材１８を連結位置に配置する段階であって、上記相対速度が実質的にゼロに維持されるように、上記第１の変形部材１７および上記第２の変形部材１８が、上記前進経路Ｐに平行な部分に沿って上記前進速度で進行する間、上記ウェブ１１が上記突出要素１９と上記開口部２０の間に介在する状態で、上記突出要素１９が、上記ウェブ１１の一領域に複数の孔１３を作成するべく、上記前進経路Ｐに対して直交するように上記開口部２０と連結する、段階とを備える。
【０１５０】
そうした態様により、ウェブ１１が前進経路Ｐに沿って一直線に前進する際に、高速でウェブ１１に複数の孔１３を得ることが可能になる。
【０１５１】
実行可能な実施形態では、上記プロセスで、上記変形部材１７および／または上記第２の変形部材１８が、上記前進経路Ｐに交差する方向に沿って位置し、これにより、上記第１の変形部材１７および上記第２の変形部材１８が、互いに部分的に重なって上記ウェブ１１と連結し、上記ウェブ１１の一領域に上記複数の孔１３を作り、上記領域が、上記の交差方向に沿って、上記前進経路Ｐに対する上記ウェブ１１の交差範囲よりも小さな範囲を延びる。
【０１５２】
実行可能な実施形態では、上記プロセスで、上記変形部材１７および／または上記第２の変形部材１８が、上記前進経路Ｐに交差する方向に沿って位置し、これにより、上記第１の変形部材１７および上記第２の変形部材１８が、互いに少なくとも部分的に重なって上記ウェブ１１と連結し、上記ウェブ１１の一領域に上記複数の孔１３を作り、上記領域が、上記の交差方向に沿って、上記前進経路Ｐに対する上記ウェブ１１の交差範囲よりも小さな範囲を延びる。
【０１５３】
実行可能な実施形態によれば、上記プロセスで、上記突出要素１９が、加熱デバイス２５により加熱される。
【０１５４】
実行可能な実施形態によれば、上記プロセスで、分離手段１４が、上記突出要素１９から上記ウェブ１１を分離して、上記突出要素１９から上記ウェブ１１を解放する。
【０１５５】
実行可能な実施形態によれば、上記プロセスで、保持手段１７が、上記第１の変形部材１７もしくは上記第２の変形部材１８、または、上記分離手段１４と接触するように上記ウェブ１１を保持するために、上記前進経路Ｐと平行な２つの方向に沿って、上記ウェブ１１と接触するように置かれ、複数の孔１３が作られる上記ウェブ１１の領域に対して側方に配置される。
【０１５６】
実行可能な実施形態によれば、保持手段２７が、ウェブ１１を横方向に保持し、ウェブ１１が前進経路Ｐに沿って前進することを可能にするように構成される、ベルト、バー、ローラ、プレート、または他の要素など、ウェブに接触するように配置することができる１対の要素を含んでよい。
【０１５７】
実行可能な実施形態によれば、本考案は、上記の実行可能な実施形態のいずれかによる穿孔装置１０を少なくとも１つ備える、衛生的な吸収性の物品を作製するための機械にも関する。
【０１５８】
そうした態様により、ウェブ１１が一直線に前進する際に、ウェブ１１に複数の孔１３を作ることが可能になり、同時に、ウェブ１１が装置１０内または作製機械の他の構成部品内で偶発的に引っ掛かってしまう可能性を低減することが保証される。
【０１５９】
また、こうした態様により、既に穿孔されたウェブの使用を回避することが可能になるが、既に穿孔されたウェブとは、大きな倉庫スペースおよびコスト、ならびに、ウェブの劣化、および、様々な種類の複数の孔１３を作る際の乏しい融通性に起因する高い廃棄コストを伴うものである。
【０１６０】
本考案の範囲から逸脱することなく、穿孔装置１０と、本穿孔プロセスと、穿孔装置１０を少なくとも１つ含む、衛生的な吸収性の物品を作製するための機械に、修正を行ってよいこと、および／または、部品を追加してよいことは明らかである。
【０１６１】
第１の変形部材１７および第２の変形部材１８は、図面に示す実行可能な実施形態に関連して、説明目的のみで記載が行われており、本考案の範囲が限定されるものではないことも明らかである。
【０１６２】
本考案の範囲から逸脱することなく、第１の変形部材１７および第２の変形部材１８についての特性を、向きの関係を反対にした部品に適用してよいことも明らかである。
【０１６３】
本考案の範囲から逸脱することなく、第１の変形部材１７について、本明細書中で記載された検討事項および実施形態は、第２の変形部材１８についても有効となり得、また、第２の変形部材１８について、本明細書中で記載された検討事項および実施形態は、第１の変形部材１７についても有効となり得る。
【０１６４】
いくつかの具体例に関連して本考案を説明してきたが、穿孔装置１０、本穿孔プロセス、および、特許請求の範囲で言い表された特性を有する穿孔装置１０を少なくとも１つ含んだ、衛生的な吸収性の物品を作製するための機械の他の多くの均等実施形態を、当業者が作成可能であることは間違いなく、よって、これらの均等実施形態は全て、特許請求の範囲で規定される保護範囲の対象になることも明らかである。
【０１６５】
以下の特許請求の範囲では、括弧内の参照は、読み易さのみを意図したものであり、具体的な特許請求の保護範囲について限定を行う要素とみなしてはならない。
【図１】
0003225510.tif 000003
【図２】
0003225510.tif 000004
【図３】
0003225510.tif 000005
【図４】
0003225510.tif 000006
【図５】
0003225510.tif 000007
【図６】
0003225510.tif 000008
【図７】
0003225510.tif 000009
【図８】
0003225510.tif 000010
【図９】
0003225510.tif 000011
【図１０】
0003225510.tif 000012